(57)【要約】【課題】  耕耘機（例えば、ハンドカルチベータ等）にあっては、この耕耘爪ロータによって耕耘される土壌面を培土器（畝立器）によって畝立培土するために、特別の培土器を装着すると、構成が大形化、重量化されることになり、出力馬力を大きくすることとなって、作業性、操作性も低下し易くなる。又、培土器の着替え操作も煩雑化して、手数を要する。【解決手段】  耕耘爪ロータ１上周部を覆うロータカバー２の後下端縁部に、このロータカバー２の横幅方向の略中央部に位置させる正面視逆台形状の溝切培土板３と、この溝切培土板３の左右培土側板縁４に対して後側へ回動可能の法面押圧板５とからなる略方形状のリヤカバー６を、上下回動可能に設け、前記リヤカバー６の後端縁に掻き均板７を設ける。【選択図】  図３
2014230502.tif 000002
【特許請求の範囲】
【請求項１】
耕耘爪ロータ（１）上周部を覆うロータカバー（２）の後下端縁部に、このロータカバー（２）の横幅方向の略中央部に位置させる正面視逆台形状の溝切培土板（３）と、この溝切培土板（３）の左右培土側板縁（４）に対して後側へ回動可能の法面押圧板（５）とからなる略方形状のリヤカバー（６）を、上下回動可能に設け、前記リヤカバー（６）の後端縁に掻き均板（７）を設けたことを特徴とする耕耘機の畝立装置。
【請求項２】
前記掻き均板（７）は、リヤカバー（６）の後端縁に対して着脱自在に設け、平畝耕耘土壌面を掻き均し、耕耘培土時には、前記掻き均板（７）を取外して法面押圧板（５）で培土法面を摺動押圧することを特徴とする請求項１に記載の耕耘機の畝立装置。
【請求項３】
前記溝切培土板（３）の左右培土側板縁（４）に沿う押圧板ヒンジ（８）の周りに後側回動可能のヒンジプレート（９）を設け、このヒンジプレート（９）にゴム板、又は合成樹脂板等の如き弾性板からなる法面押圧板（５）をリヤカバー（６）として拡張した形態にして取付けて、この左右法面押圧板（５）の外側端縁（１０）を前記ロータカバー（２）の略横幅域位置に拡張設定可能に構成することを特徴とする請求項１、又は２に記載の耕耘機の畝立装置。
【請求項４】
前記リヤカバー（６）の後端縁部から取外した掻き均板（７）を、ロータカバー（２）の上側面に保持させて収納可能に構成したことを特徴とする請求項１、２、又は３に記載の耕耘機の畝立装置。
【発明の詳細な説明】
【技術分野】
【０００１】
この発明は、ハンドトラクタの如き比較的小形軽量の二輪走行形態の耕耘機の耕耘爪ロータカバーの後部に、畝立培土作用を可能のリヤカバーを設ける耕耘機の畝立装置に関する。
【背景技術】
【０００２】
耕耘爪ロータの上側を覆うロータカバーの後端縁に、耕耘幅方向中央部の培土板と、この左右両側を包囲形成するリヤカバーとを、上下に重合させる形態にして装着し、培土作業を行うときは、培土板を下方に残して、リヤカバーのみを上方へ起立回動させて作業形態とする形態が知られている（例えば、特許文献１参照）。
【先行技術文献】
【特許文献】
【０００３】
【特許文献１】特開２０１２ー１１５１９０号公報。
【特許文献２】特開２０１２ー１０５６２２号公報。
【発明の概要】
【発明が解決しようとする課題】
【０００４】
単軸二輪を有して走行形態のハンドトラクタの後部に耕耘爪ロータ、及び操作ハンドル等を配置した小形軽量形態の耕耘機（例えば、ハンドカルチベータ等）にあっては、この耕耘爪ロータによって耕耘される土壌面を培土器（畝立器）によって畝立培土するために、特別の培土器を装着すると、構成が大形化、重量化されることになり、出力馬力を大きくすることとなって、作業性、操作性も低下し易くなる。又、培土器の着替え操作も煩雑化して、手数を要する。
【課題を解決するための手段】
【０００５】
請求項１に記載の発明は、耕耘爪ロータ１上周部を覆うロータカバー２の後下端縁部に、このロータカバー２の横幅方向の略中央部に位置させる正面視逆台形状の溝切培土板３と、この溝切培土板３の左右培土側板縁４に対して後側へ回動可能の法面押圧板５とからなる略方形状のリヤカバー６を、上下回動可能に設け、前記リヤカバー６の後端縁に掻き均板７を設けたことを特徴とする耕耘機の畝立装置の構成とする。
【０００６】
耕耘爪ロータ１の回転によって耕耘された土壌面を掻き均するときは、前記リヤカバー６の後端部の掻き均板７を取付けた状態で、このリヤカバー６を下方へ回動して、耕耘土壌面を掻き均姿勢とする。耕耘機の走行によって、耕耘爪ロータ１の回転によって土壌面が耕耘される。この耕耘土壌面は、ロータカバー２の後下端縁部に設けられたリヤカバー６の掻き均板７によって掻き均される。前記耕耘爪ロータ１によって耕耘飛散される耕耘土壌は、上側のロータカバー２や、後側のリヤカバー６によって受けられて、耕耘幅内に沈降積層案内されて平畝耕耘形態に形成され、この耕耘土壌面に凹凸面や、土塊等があっても、前記リヤカバー６の後端縁の掻き均板７によって略平坦面に掻き均される。
【０００７】
又、前記耕耘爪ロータ１によって耕耘される土壌面に溝切培土、乃至畝立培土を行う場合は、前記リヤカバー６の中央部の溝切培土板３に対して、この左右両側部の法面押圧板５を、培土側板縁４部の周りに後側へ適宜角度回動して培土姿勢とする。前記耕耘爪ロータ１の回転によって耕耘された耕耘土壌面は、前記溝切培土板３によって逆台形状形態の培土溝が溝切り形成されて、この培土溝部の溝の法面部土壌が、左右両側の法面押圧板５によって、左右両側部へ摺動押圧して培土される。このような、溝切、培土の法面部は、法面押圧板５によって押圧摺動されて、滑面に締め固められて、鎮圧形態のきれいな溝切培土面に形成される。
【０００８】
請求項２に記載の発明は、前記掻き均板７は、リヤカバー６の後端縁に対して着脱自在に設け、平畝耕耘土壌面を掻き均し、耕耘培土時には、前記掻き均板７を取外して法面押圧板５で培土法面を摺動押圧する構成とする。
【０００９】
前記リヤカバー６は、横幅方向の略中央部に位置する溝切培土板３と、この左右両側部の法面押圧板５とからなり、略方形状の板形態に構成されて、耕耘爪ロータ１によって耕耘された耕耘土壌面を掻き均す場合は、前記リヤカバー６の後下端縁部に掻き均板７を取付けることにより、前記ロータカバー２及びリヤカバー６等で耕耘案内した耕耘土壌面を、掻き均板７によって略平坦状に掻き均すことができ、大きな凹凸面変化を少くすることができる。又、大きい土塊があっても掻き均板７によって掻き砕かれて、掻き均しが容易に行われる。
【００１０】
又、耕耘土壌面を畝立培土するときは、前記リヤカバー６の後下端縁部に掻き均板７を取付けしない状態、又は、既に取付けていた掻き均板７があるときば、この掻き均板７をリヤカバー６の後下端縁部から取外した状態として、溝切培土板３の左右培土側板縁４に対して、外側の法面押圧板５を後側へ適宜角度位置に回動させて畝立器形態として、この溝切培土板３を垂下状態に固定させて、耕耘土壌面適宜深さ位置を推進させて、溝切培土作用を行わせることができる。そして、耕耘幅の中央部に溝切培土板３形態の培土溝が形成されて、この培土溝の左右両側の溝法面が、法面押圧板５の摺動によって、鎮圧成形される。
【００１１】
このように、リヤカバー６は、中央部の溝切培土板３に対して、左右両側の法面押圧板５を、培土側板縁４の周りに後方へ回動することによって、方形状板形態のリヤカバー６から培土畝立器形態に切替えることができる。又、方形状板形態のリヤカバー６は、前記ロータカバー２の後下端縁部に対して、上下回動して平畝耕耘土壌面を形成するように使用する使用状態と、この平畝耕耘土壌面を均平しない収納状態とに切替えることができる。又、前記方面押圧板５を後側へ回動させた培土畝立器形態の溝切培土板３も、前記ロータカバー２の後端縁部に対して上下に回動することによって、非溝切培土状態とに切替えることができる。
【００１２】
前記掻き均板７を、リヤカバー６の後端縁に対して取付けて、平畝耕耘土壌面を掻き均し、耕耘培土時には、この掻き均板７を取外して法面押圧板５で培土法面を摺動押圧するもので、前記のようにリヤカバー６の後下端縁部は耕耘土壌面を押圧均平するように作用するが、この掻き均縁部は掻き均板７が、中央部の溝切培土板３幅部から、左右両側部の法面押圧板５は幅部に亘って形成されるため、リヤカバー６の下端縁全幅域に亘って一様に掻き均らされて、この法面押圧板部５部の後上法回動による開放を阻止して、耕耘土壌面の掻き均作用を効果的に維持する。
【００１３】
又、前記掻き均板７は、リヤカバー６の後下端縁に着脱して、耕耘土壌面を掻き均すときのみ取付けて、掻き均し不要時は、これを取外した状態として、前記溝切培土板３と法面押圧板５との下端縁を耕耘土壌面に摺動接圧させて、耕耘土壌の飛散防止、乃至均平作用を行わせる。又、この法面押圧板５を、溝切培土板３の左右培土板縁４に対して後側へ回動して、畝立培土作用を行わせるときは、この溝切培土板３によって形成される耕耘土壌面の畝立培土溝部の左右両側面部の培土溝法面が、法面押圧板５によって摺接押圧されて、崩れ難い培土溝法面に形成される。
【００１４】
請求項３に記載の発明は、前記溝切培土板３の左右培土側板縁４に沿う押圧板ヒンジ８の周りに後側回動可能のヒンジプレート９を設け、このヒンジプレート９にゴム板、又は合成樹脂板等の如き弾性板からなる法面押圧板５をリヤカバー６として拡張した形態にして取付けて、この左右法面押圧板５の外側端縁１０を前記ロータカバー２の略横幅域位置に拡張設定可能に構成する。
【００１５】
前記のように一枚板状形態のリヤカバー６は、溝切培土板３の左右両側の培土側板縁４に沿って押圧板ヒンジ８を有し、この押圧板ヒンジ８の周りに後側回動可能のヒンジプレート９を介して、このヒンジプレート９に取付けたゴム板等の弾性板からなる法面押圧板５を回動可能に取付けるものであるから、法面押圧板５が弾性板ありながら安定した支持取付形態に取付け維持されて、この法面押圧板５による培土溝法面の押圧鎮圧力を高めることができ、滑面に押し締めて、きれいで、安定した畝溝法面を形成することができる。法面押圧板５のいずれの法面押圧回動位置においても、この法面押圧板５の弾性歪みを制限して、法面押圧板５全面に亘る均等な押圧均平性を高め、維持することができる。又、前記弾性板形態の法面押圧板５は、左右外方へ拡張回動させて一枚板状態のリヤカバー６とすることができるが、この溝切培土板３に対するヒンジプレート９の回動によって、リヤカバー６と法面押圧板５との切替可能の姿勢に構成されるため、法面押圧板５の切替回動を円滑、容易に行い、耕耘土壌の均平性、培土法面の鎮圧性を安定維持させる。
【００１６】
請求項４に記載の発明は、前記リヤカバー６の後端縁部から取外した掻き均板７を、ロータカバー２の上側面に保持させて収納可能に構成する。
リヤカバー６の後端縁部に掻き均板７を取付けて、この掻き均板７を耕耘土壌面に摺動させて、耕耘土壌面を平坦面状に掻き均作業することができる。又、この掻き均板７を使用しないときは、リヤカバー６の後端縁部から取外した掻き均板７をロータカバー２の上面部に保持させて収納状態にする。掻き均板７は、耕耘土壌面を掻き均すように、ロータカバー２の横幅方向と略同幅長に形成されるが、比較的細長い板状成形形態であるため、ロータカバー２の上面に沿わせて収納保持させても、他の機構の邪魔になり難くコンパクトな形態として、重量も軽量であるから、作業過負荷にもなり難い。
【発明の効果】
【００１７】
請求項１に記載の発明は、ロータカバー２の後下端部に取付けて耕耘土壌面部を覆うリヤカバー６を、中央部の溝切培土板３と、この左右両側部の法面押圧板５とによって方形状の一枚板状形態に形成するものであり、かつ、この法面押圧板５を培土側板縁４に対して後側へ回動して法面押圧可能の培土畝立器形態とするものであるから、リヤカバー６自体を培土板として溝切培土器、（乃至培土畝立器）に切替えできるため、構成を簡単化し、軽量、安価にすることができる。耕耘爪ロータ１の後側に取付けても、後方への重量物が突出することがなく、前後方向の重量バランスを良好に保持することができ、作業性を容易に維持することができる。又、前記リヤカバー６の後端縁部に掻き均板７を着脱したり、リヤカバー６の上下回動や、溝切培土板３に対する法面押圧板５の前後回動等の切替操作を行い易くすることができる。そして、構成を簡単化し、軽量、安価にすることによって、作業性を高く維持することができる。
【００１８】
請求項２に記載の発明は、リヤカバー６の後端縁に掻き均板７を着脱して、この取付けた掻き均板７で、耕耘土壌面を掻き均したり、前記掻き均板７を取付しない溝切培土板３の下端縁部や、法面押圧板５の下端縁部で、耕耘土壌面を均平したり、又、この法面押圧板５を前記溝切培土板３の培土側板縁４に対して後側へ回動させて、溝切、培土した法面を摺動押圧して、法面土壌の崩れの少く、安定した畝立培土法面を形成することができる。しかも、前記掻き均板７と、この左右両側部の法面押圧板５との下端縁部間は、掻き均板７によって掻き均作用が行われるため、耕耘土壌面全幅に亘って均等の掻き均し作用を、安定して行わせることができ、法面押圧板５の培土側板縁４周りの回動を少くして、耕耘土壌面全幅を平坦面に形成することができる。しかも、前記掻き均板７の着脱や、法面押圧５の培土側板縁４周りの回動操作によって、耕耘土壌面の掻き均作用姿勢と、畝立培土作用姿勢とを切替えるものであるから、構成、及び操作を簡単、容易にすることができる。
【００１９】
請求項３に記載の発明は、弾性板状の法面押圧板５は、溝切培土板３の培土側板縁４に沿う押圧板ヒンジ８周りに回動可能のヒンジプレート９に取付けられているため、リヤカバー６として拡張した形態にあっても、畝立培土器形態に形成された形態にあっても、リヤカバー６の全体構成の重量は、掻き均板７の存、否を除いて大きくは変らず、軽量、簡単な構成によって、作業性を高めることができ、操作性を容易化することができる。
【００２０】
請求項４に記載の発明は、掻き均板７をリヤカバー６の下端縁部から取外したときは、ロータカバー２の上側面部に取付保持させて取付収納状態とするため、掻き均板７を耕耘、乃至培土作業の邪魔になり難い位置２保持させて、粉失し難くし、取付、取外し、及び作業性を高くすることができる。
【図面の簡単な説明】
【００２１】
【図１】耕耘機の側面図。
【図２】そのリヤカバー部の拡大側面図。
【図３】耕耘機の平面配置図。
【図４】掻き均板の取付状態を示す平面図。
【図５】耕耘時の耕耘機の側面図と、そのリヤカバー部の背面図。
【図６】畝立作業時の耕耘機の側面図と、そのリヤカバー部の背面図。
【図７】走行移動時の耕耘機の側面図と、そのリヤカバー部の背面図。
【図８】抵抗棒と尾輪を取り付けた場合の斜視図。
【図９】リヤカバーを畝立て器とする使用する場合の斜視図。
【図１０】リヤカバーに掻き均し板を取付けて掻き均しする場合の斜視図。
【発明を実施するための形態】
【００２２】
図面に基づいて、左右一対の車輪１８を単軸形態の車軸１９に有して、後方に二又状、乃至ループ状形態のハンドル２０を有したハンドトラクタ車体２１の後側に、前記車軸１９の上部に位置するミッションケース２２の中央部位置から後側下部へ向けて耕耘伝動ケース２３を設けて、この伝動ケース２３の下端部に左右水平状の耕耘軸２４を配置して、この耕耘軸２４の周りに耕耘爪２５を配置して、耕耘爪ロータ１を構成して、土壌面を適宜深さに耕耘し、乃至中耕除草等の作業を行うことができる。前記ミッションケース２２の前側にはフロントブラケット２６を介してエンジン２７を搭載して、このエンジン軸２８から前記ミッッションケース２２の入力軸２９を、伝動ケース３０内のベルト掛け、及びテンションクラッチ形態の伝動機構によって伝動するすることができる。３１は燃料タンクの給油キャップ、３２は変速レバー、３３はサイドクラッチレバー、３４はクラッチレバーである。
【００２３】
前記耕耘伝動ケース２３の左右両側で回転駆動されるセンタドライブ形態の耕耘爪ロータ１は、上周部を側面視半円弧状形態のロータカバー２によって被覆構成する。このロータカバー２の左右両側にはサイドカバー３５を形成している。このロータカバー２の後端部にリヤカバー６を形成する。
【００２４】
前記リヤカバー６は、前記ロータカバー２幅の略中央部に位置する溝切培土板３と、この溝切培土板３の左右両側部の法面押圧板５とから構成されて、略方形状の一枚板状形態に形成されて、この下端縁部を前記耕耘爪ロータ２によって耕耘される耕耘土壌に摺動させることによって、耕耘土壌の後方飛散を阻止すると共に、この土壌面を鎮圧均平するリヤカバー６として構成される。又、このリヤカバー６の後端縁部に沿って掻き均板（適宜形態のレーキ状板）を取り付けて、前記耕耘土壌面を掻き均して平坦状に均平する均平板として使用することができる。更には、このリヤカバー６の法面押し圧板５を後側へ回動することによって、前記耕耘爪ロータ１によって耕耘される土壌面に培土溝を形成する溝切培土器、乃至この培土溝の左右外側に培土畝を形成する培土畝立器として使用することができる。
【００２５】
ここにおいて、耕耘爪ロータ１上周部を覆うロータカバー２の後下端縁部に、このロータカバー２の横幅方向の略中央部に位置させる正面視逆台形状の溝切培土板３と、この溝切培土板３の左右培土側板縁４に対して後側へ回動可能の法面押圧板５とからなる略方形状のリヤカバー６を、上下回動可能に設け、前記リヤカバー６の後端縁に掻き均板７を設けたことを特徴とする耕耘機の畝立装置の構成とする。
【００２６】
耕耘爪ロータ１の回転によって耕耘された土壌面を掻き均するときは、前記リヤカバー６の後端部の掻き均板７を取付けた状態で、このリヤカバー６を下方へ回動して、耕耘土壌面を掻き均姿勢とする。耕耘機の走行によって、耕耘爪ロータ１の回転によって土壌面が耕耘される。この耕耘土壌面は、ロータカバー２の後下端縁部に設けられたリヤカバー６の掻き均板７によって掻き均される。前記耕耘爪ロータ１によって耕耘飛散される耕耘土壌は、上側のロータカバー２や、後側のリヤカバー６によって受けられて、耕耘幅内に沈降積層案内されて平畝耕耘形態に形成され、この耕耘土壌面に凹凸面や、土塊等があっても、前記リヤカバー６の後端縁の掻き均板７によって略平坦面に掻き均される。
【００２７】
又、前記耕耘爪ロータ１によって耕耘される土壌面に溝切培土、乃至畝立培土を行う場合は、前記リヤカバー６の中央部の溝切培土板３に対して、この左右両側部の法面押圧板５を、培土側板縁４部の周りに後側へ適宜角度回動して培土姿勢とする。前記耕耘爪ロータ１の回転によって耕耘された耕耘土壌面は、前記溝切培土板３によって逆台形状形態の培土溝が溝切り形成されて、この培土溝部の溝の法面部土壌が、左右両側の法面押圧板５によって、左右両側部へ摺動押圧して培土される。このような、溝切、培土の法面部は、法面押圧板５によって押圧摺動されて、滑面に締め固められて、鎮圧形態のきれいな溝切培土面に形成される。
【００２８】
又、前記掻き均板７は、リヤカバー６の後端縁に対して着脱自在に設け、平畝耕耘土壌面を掻き均し、耕耘培土時には、前記掻き均板７を取外して法面押圧板５で培土法面を摺動押圧する構成とする。
【００２９】
前記リヤカバー６は、横幅方向の略中央部に位置する溝切培土板３と、この左右両側部の法面押圧板５とからなり、略方形状の板形態に構成されて、耕耘爪ロータ１によって耕耘された耕耘土壌面を掻き均す場合は、前記リヤカバー６の後下端縁部に掻き均板７を取付けることにより、前記ロータカバー２及びリヤカバー６等で耕耘案内した耕耘土壌面を、掻き均板７によって略平坦状に掻き均すことができ、大きな凹凸面変化を少くすることができる。又、大きい土塊があっても掻き均板７によって掻き砕かれて、掻き均しが容易に行われる。
【００３０】
又、耕耘土壌面を畝立培土するときは、前記リヤカバー６の後下端縁部に掻き均板７を取付けしない状態、又は、既に取付けていた掻き均板７があるときば、この掻き均板７をリヤカバー６の後下端縁部から取外した状態として、溝切培土板３の左右培土側板縁４に対して、外側の法面押圧板５を後側へ適宜角度位置に回動させて畝立器形態として、この溝切培土板３を垂下状態に固定させて、耕耘土壌面適宜深さ位置を推進させて、溝切培土作用を行わせることができる。そして、耕耘幅の中央部に溝切培土板３形態の培土溝が形成されて、この培土溝の左右両側の溝法面が、法面押圧板５の摺動によって、鎮圧成形される。
【００３１】
このように、リヤカバー６は、中央部の溝切培土板３に対して、左右両側の法面押圧板５を、培土側板縁４の周りに後方へ回動することによって、方形状板形態のリヤカバー６から培土畝立器形態に切替えることができる。又、方形状板形態のリヤカバー６は、前記ロータカバー２の後下端縁部に対して、上下回動して平畝耕耘土壌面を形成するように使用する使用状態と、この平畝耕耘土壌面を均平しない収納状態とに切替えることができる。又、前記方面押圧板５を後側へ回動させた培土畝立器形態の溝切培土板３も、前記ロータカバー２の後端縁部に対して上下に回動することによって、非溝切培土状態とに切替えることができる。
【００３２】
前記掻き均板７を、リヤカバー６の後端縁に対して取付けて、平畝耕耘土壌面を掻き均し、耕耘培土時には、この掻き均板７を取外して法面押圧板５で培土法面を摺動押圧するもので、前記のようにリヤカバー６の後下端縁部は耕耘土壌面を押圧均平するように作用するが、この掻き均縁部は掻き均板７が、中央部の溝切培土板３幅部から、左右両側部の法面押圧板５は幅部に亘って形成されるため、リヤカバー６の下端縁全幅域に亘って一様に掻き均らされて、この法面押圧板部５部の後上法回動による開放を阻止して、耕耘土壌面の掻き均作用を効果的に維持する。
【００３３】
又、前記掻き均板７は、リヤカバー６の後下端縁に着脱して、耕耘土壌面を掻き均すときのみ取付けて、掻き均し不要時は、これを取外した状態として、前記溝切培土板３と法面押圧板５との下端縁を耕耘土壌面に摺動接圧させて、耕耘土壌の飛散防止、乃至均平作用を行わせる。又、この法面押圧板５を、溝切培土板３の左右培土板縁４に対して後側へ回動して、畝立培土作用を行わせるときは、この溝切培土板３によって形成される耕耘土壌面の畝立培土溝部の左右両側面部の培土溝法面が、法面押圧板５によって摺接押圧されて、崩れ難い培土溝法面に形成される。
【００３４】
又、前記溝切培土板３の左右培土側板縁４に沿う押圧板ヒンジ８の周りに後側回動可能のヒンジプレート９を設け、このヒンジプレート９にゴム板、又は合成樹脂板等の如き弾性板からなる法面押圧板５をリヤカバー６として拡張した形態にして取付けて、この左右法面押圧板５の外側端縁１０を前記ロータカバー２の略横幅域位置に拡張設定可能に構成する。
【００３５】
前記のように一枚板状形態のリヤカバー６は、溝切培土板３の左右両側の培土側板縁４に沿って押圧板ヒンジ８を有し、この押圧板ヒンジ８の周りに後側回動可能のヒンジプレート９を介して、このヒンジプレート９に取付けたゴム板等の弾性板からなる法面押圧板５を回動可能に取付けるものであるから、法面押圧板５が弾性板ありながら安定した支持取付形態に取付け維持されて、この法面押圧板５による培土溝法面の押圧鎮圧力を高めることができ、滑面に押し締めて、きれいで、安定した畝溝法面を形成することができる。法面押圧板５のいずれの法面押圧回動位置においても、この法面押圧板５の弾性歪みを制限して、法面押圧板５全面に亘る均等な押圧均平性を高め、維持することができる。又、前記弾性板形態の法面押圧板５は、左右外方へ拡張回動させて一枚板状態のリヤカバー６とすることができるが、この溝切培土板３に対するヒンジプレート９の回動によって、リヤカバー６と法面押圧板５との切替可能の姿勢に構成されるため、法面押圧板５の切替回動を円滑、容易に行い、耕耘土壌の均平性、培土法面の鎮圧性を安定維持させる。
【００３６】
更に、前記リヤカバー６の後端縁部から取外した掻き均板７を、ロータカバー２の上側面に保持させて収納可能に構成する。
リヤカバー６の後端縁部に掻き均板７を取付けて、この掻き均板７を耕耘土壌面に摺動させて、耕耘土壌面を平坦面状に掻き均作業することができる。又、この掻き均板７を使用しないときは、リヤカバー６の後端縁部から取外した掻き均板７をロータカバー２の上面部に保持させて収納状態にする。掻き均板７は、耕耘土壌面を掻き均すように、ロータカバー２の横幅方向と略同幅長に形成されるが、比較的細長い板状成形形態であるため、ロータカバー２の上面に沿わせて収納保持させても、他の機構の邪魔になり難くコンパクトな形態として、重量も軽量であるから、作業過負荷にもなり難い。
【００３７】
前記リヤカバー６の溝切培土板３は、横幅方向の中央部に構成されて、ロータカバー２に取り付ける上端縁、乃至取付縁を長くし、これに対して後端縁、乃至下端縁を短くして形成した、正面視で逆台形状形態の板体に形成して、この上端縁部を蝶番３６を用いて、この蝶番３６のヒンジピン３７の周りに、上下方向に回動自在にして連結している。この溝切培土板３は上面に適宜形態の補強部材３８を溶接して、溝切培土板３の厚さを薄くし、軽量化して、溝切り培土作用時の歪み変形を少なくして、安定した溝切り培土作用を行わせる用に形成している。
【００３８】
前記溝切培土板３の左右両側の培土側板縁４に、蝶番３９によって法面押圧板５を連結し、この蝶番３８の押圧板ヒンジ８の周りに前後方向へ回動可能で、このリヤカバー６自体の板面方向位置から後側へ適宜回動角度位置に亘って回動可能に構成する。前記法面押圧培土板５は、剛板形態とすることができるが、これをゴム板や、合成樹脂板の如き弾性板によって構成する形態では、前記蝶番３９によって取付連結する連結縁部に沿って、一枚の長いヒンジプレート９を設けて、この法面培土板５を取り付けたヒンジプレート９を、蝶番３９を介して溝切培土板３に取り付け、弾性板による法面押圧力、乃至鎮圧力を、強く、有効に働かせ、均等に維持させるものである。又、前記法面培土板５は、内測縁を溝切培土板３の培土側板縁４に平行状に形成しているが、外側端縁１０は、ロータカバー２の横端側縁と同幅位置において、前後方向直縁形態に形成している。前記法面押圧培土板５は、ヒンジプレート９に対して取付ボルト４０で着脱可能に取り付けて、交換容易に構成している。
【００３９】
前記のようにリヤカバー６は、中央部の溝切培土板３と、この左右両側の法面押圧板５とによって、横長方形状板形態に構成されるが、これら溝切培土板３の後端縁と、法面押圧板５の後端縁とは、横方向一直線状に形成されていて、このリヤカバー６の後端縁部に沿って、横方向に細長い形態の掻き均板７を、取付ボルト４１や、前記一部の取付ボルト４０を共用する等して着脱可能にして取り付けている。この掻き均板７は、細長い直板形態とするも可能であるが、下端縁を波形に形成してレーキ形態に構成して、土壌面を掻き均し易く形成し、土塊を砕き易く形成している。又、この掻き均板７は、リヤカバー６の下端部後面側に重合させるようにして取り付ける取付縁部４２と、前記土壌面を掻き均す掻き均縁部４３とを、側面視への字状形態に屈曲させて形成し、リヤカバー６の耕耘土壌面に対する作用姿勢に対して、掻き均縁部４３の作用角度を、上下方向直立状に立てることによって、土壌面の掻き均を行い易くするものである。前記、各取付ボルト４０、４１として蝶ナット４４を使用して着脱操作を行い易く構成することもできる。
【００４０】
前記リヤカバー６の法面押圧板５は、この溝切培土板３の押圧板ヒンジ８の周りに後側へ回動させて、畝立器を形成するが、このとき、リヤカバー６の下端部の掻き均板７を取り外した状態で、法面押圧板５を培土角度位置に回動設定する。この押圧板ヒンジ８周りの回動角度を予めストッパ等で決めておき（図面省略）、リヤカバー６を下方の溝切り培土形成位置に回動設定した状態で車体２１を前進させて耕耘作業を行うと、耕耘土壌との間の溝切り培土抵抗を受けて、左右両側の法面押し圧板５が後側へ自動的に回動されて、前記ストッパに係止されるまで回動されて培土姿勢を維持させる形態とする。この形態では、リヤカバー６の下端縁部から掻き均板７を外すことによって直ちに溝切り培土姿勢に切り替えることができるため、構成を簡潔化し、操作を簡単にすることができる。
【００４１】
又、この法面押し圧板５の培土角度を設定するために、溝切り培土板３と、左右の法面押圧板５、乃至押圧板ヒンジ８周りに回動するヒンジプレート９との間を、ターンバックル等の拡縮リンク機構を設けることによって、培土角度を設定する構成とすることも可能である。
【００４２】
前記耕耘爪ロータ１は、耕耘伝動ケース２３を耕耘幅の中央部に位置させて設定するセンタドライブ形態としているため、耕耘作業時に伝動ケース２３の直下部に未耕耘箇所が残るが、この残耕箇所の土壌をすき崩すための抵抗棒を１２を取り付ける。この抵抗棒１２は、前記ロータカバー２の後部中央部位置に棒穴１１を形成して、この棒穴１１に各チューブ材からなるソケット４５を上下方向に嵌合させて取付けて、このソケット４５に抵抗棒１２を差し込んで、下端部の鋤へら４６部を、前記伝動ケース２３の後部か側部に位置させる。この抵抗棒１２とソケット４５との嵌合部には、上下方向適宜間隔位置にピン穴４７を形成して、このピン穴４７にセットピン４８を抜き差しすることによって、抵抗棒１２の抜き差しや、深さ設定位置等を決めることができる。前記ソケット４５の上端部には締め付けボルト４９を取り付けて、作業時の抵抗棒１２の揺動を防止する。又、前記ソケット４５の上部後側には、角軸形態、乃至丸軸形態等のブラケット１４を突出させて、このブラケット１４に尾輪１６アーム１５のアームソケット１７を嵌合させて支持して、収納保持することができる。
【００４３】
前記尾輪アーム１５のアームソケット１７と、ブラケット１４との嵌合重合部には、セットピン４９を抜き差しするピン穴を形成して、尾輪１６、アーム１５の取付姿勢を安定させる。このブラケット１４に支持させた尾輪アーム１５は尾輪１６を上方に位置させた上向き姿勢にして支持することができる（図１、図２、図５、図８）。この作業形態では、耕耘作業姿勢Ｄとして、リヤカバー６を下側の耕耘土壌面上に摺接させて掻き均姿勢Ａとするため、耕耘土壌の後方飛散を防止し、掻き均板７を取り付けているときは、土壌面の掻き均しを行うことができる。
【００４４】
前記耕耘土壌の畝立て作業を行うときは、前記抵抗棒１２を上端部位置へ引き上げて、リヤカバー６から掻き均板７を取り外して、このリヤカバー６を下側へ回動させて、前記ブラケット１４に嵌合して取り付ける尾輪アーム１５を下向きにして取付けて、この尾輪１６部で溝切り培土板３の後側面の後方回動を受けて、溝切り培土の作用による後方回動を押さえる形態にセットする（図６、図９）。この形態で、リヤカバー６の法面押圧板５を後側へ、回動可能にして、又は回動させて培土姿勢Ｃに設定する。
【００４５】
前記リヤカバー６を畝立器として作業するときは、前記のように尾輪アーム１５を下向きにして取付けて、尾輪１６で溝切培土板３の背面を受ける形態とするに代えて、この尾輪アーム１５とは別形態の尾輪１６を有しない単なる押さえアーム６０を、この押さえアーム６０のソケット６１を前記ブラケットブ１４に嵌合して取付けて（図９）、この押えアーム６０の下端部出溝切り培土板３の後側下部面を支持することによって、溝切り培土作用を行わせる構成とすることもできる。
【００４６】
又、前記尾輪アーム１５のアームソケット１７は、前記ブラケット１４から外して抵抗棒１２の下端部に差し込んで、この抵抗棒１２の下端部に形成のピン穴４７と、これに嵌合するアームソケット１７との間に形成のピン穴とに亘って、セットピン５２を挿通することによって、路面走行時においては、尾輪１６の位置を溝切り培土板６前側の地面に接地支持させることによって（図７）、走行移動姿勢Ｅとすることができる。又、この場合、リヤカバー６を使用しない場合は、このリヤカバー６をヒンジピン３７の周りに上方へ回動させて、この溝切り培土板３の挿通穴１３を、上側のブラケット１４に嵌合させて収納姿勢Ｂに保持させることができる。
【００４７】
前記のようにリヤカバー６から取り外した掻き均板７は、ロータカバー２の上側部に横方向に向けて重合支持させて取付けて、支持収納させる。掻き均し板５の取付け縁部４２には、前記取付けボルト４０に嵌合するボルト穴が形成されているが、このボルト穴をロータカバー２の上面に突出する固定ボルト５０に嵌合させて支持することができ、蝶ナット５１で締め付けて固定することができる。
【００４８】
このようなロータカバー２の上側面部は、上方のハンドル２０フレーム部との間の間隔部が、高く、広く形成されているために、これら掻き均し板７や、前記尾輪１６等を支持収納させても、耕耘畝立て作業、操作の邪魔にはなり難い。
【００４９】
前記リヤカバー６の溝切り培土板３の中央下部位置には、挿通穴１３を形成して、この挿通穴１３にはスリット穴を形成したゴムカバー５２を設けており、このゴムカバー５２のスリット穴を押し開いて、尾輪アーム１５を挿通穴１３から後側へ突出させることができる（図８）。この尾輪アーム１５の下端部の尾輪１６を、溝切り培土板３の後側下側部の培土溝底面部に設置させて回転支持させることができる。この形態では、前記抵抗棒１２を耕耘部に位置させた形態で、溝切り培土板３の後側の培土溝底面に設置支持させる。
【符号の説明】
【００５０】
１    耕耘爪ロー他
２    ロータカバー
３    溝切培土板
４    培土側板縁
５    法面押圧板
６    リヤカバー
７    掻き均板
８    押圧板ヒンジ
９    ヒンジプレート
１０    外側端縁
１１    棒穴
１２    抵抗棒
１３    挿通穴
１４    ブラケット部
１５    ホイルアーム
１６    尾輪
１７    アームソケット
【図１】
2014230502.tif 000003
【図２】
2014230502.tif 000004
【図３】
2014230502.tif 000005
【図４】
2014230502.tif 000006
【図５】
2014230502.tif 000007
【図６】
2014230502.tif 000008
【図７】
2014230502.tif 000009
【図８】
2014230502.tif 000010
【図９】
2014230502.tif 000011
【図１０】
2014230502.tif 000012